(57)【要約】【課題】本発明は、操作が便利な制御回路及びそれを用いたパソコン部材を提供することを目的とする。【解決手段】本発明の制御回路は、ボタンセットを備え、前記制御回路は、メイン制御回路と、ＶＧＡコネクタと、を備え、前記ＶＧＡコネクタは、パソコン本体に設置され、且つパソコン本体のＩ２Ｃバスによって、メイン制御回路と電気的に接続され、ボタンセットが押された際、ディスプレイを制御するデータ信号を出力し、該データ信号は、Ｉ２Ｃバスによって、前記ＶＧＡコネクタに伝送され、前記ＶＧＡコネクタは、ディスプレイと接続して、データ信号をディスプレイに伝送する。【選択図】図１
2013218683.tif 000002
【特許請求の範囲】
【請求項１】
ボタンセットを備える制御回路において、前記制御回路は、メイン制御回路と、ＶＧＡコネクタと、を備え、前記ＶＧＡコネクタは、パソコン本体に設置され、且つパソコン本体のＩ２Ｃバスによって、メイン制御回路と電気的に接続され、ボタンセットが押された際、ディスプレイを制御するデータ信号を出力し、前記データ信号は、Ｉ２Ｃバスによって、前記ＶＧＡコネクタに伝送され、前記ＶＧＡコネクタは、ディスプレイと接続されて、前記データ信号をディスプレイに伝送することを特徴とする制御回路。
【請求項２】
前記制御器は、複数の信号入力ピンと、複数の抵抗と、を備え、前記ボタンセットは、複数のボタンを備え、各前記信号入力ピンは、それぞれ一つのボタンと電気的に接続され、各前記ボタンは、一つの抵抗によって、一つの電源と電気的に接続されることを特徴とする請求項１に記載の制御回路。
【請求項３】
前記制御器は、データピンを備え、前記データ信号は、このデータピンによって、出力されることを特徴とする請求項１に記載の制御回路。
【請求項４】
前記制御器は、クロックピンを備え、前記クロックピンは、クロック信号を出力し、前記クロック信号は、Ｉ２Ｃバスによって、ＶＧＡコネクタに送信されることを特徴とする請求項１に記載の制御回路。
【請求項５】
前記制御器は、複数のアドレスピンを備え、前記複数のアドレスピンは、ハードウェアアドレスを予備設定し、前記制御器は、前記ハードウェアアドレスによって、前記コントロールパネルに入ることを特徴とする請求項１に記載の制御回路。
【請求項６】
前記ボタンセットと前記制御器は、キーボードに設置され、前記キーボードは、キーボード配線を備え、前記データ信号は、前記キーボード配線によって、パソコン本体のＩ２Ｃバスに伝送されることを特徴とする請求項１に記載の制御回路。
【請求項７】
前記ボタンセットと、前記制御器と、ＶＧＡコネクタとは、パソコン本体に設置されることを特徴とする請求項１に記載の制御回路。
【請求項８】
パソコン本体と、ディスプレイと、制御回路と、を備え、前記制御回路は、ボタンセットを備えるパソコン部材において、前記制御回路は、メイン制御回路と、ＶＧＡコネクタと、を備え、前記ＶＧＡコネクタは、パソコン本体に設置され、且つパソコン本体のＩ２Ｃバスによって、メイン制御回路と電気的に接続され、ボタンセットが押された際、ディスプレイを制御するデータ信号を出力し、該データ信号は、Ｉ２Ｃバスによって、前記ＶＧＡコネクタに伝送され、前記ＶＧＡコネクタは、ディスプレイと接続して、データ信号をディスプレイに伝送することを特徴とするパソコン部材。
【請求項９】
前記パソコン部材は、キーボードを備え、前記キーボードは、キーボード配線を備え、前記データ信号は、前記キーボード配線によって、パソコン本体のＩ２Ｃバスに伝送されることを特徴とする請求項８に記載のパソコン部材。
【請求項１０】
前記制御器は、複数の信号入力ピンと、複数の抵抗と、を備え、前記ボタンセットは、複数のボタンを備え、各前記信号入力ピンは、それぞれ一つのボタンと電気的に接続され、各前記ボタンは、一つの抵抗によって、一つの電源と電気的に接続されることを特徴とする請求項８に記載のパソコン部材。
【発明の詳細な説明】
【技術分野】
【０００１】
本発明は、制御回路に関し、特に遠距離から制御することができる制御回路及びそれを用いたパソコン部材に関するものである。
【背景技術】
【０００２】
従来のディスプレイは、ディスプレイ上に設置されたボタンを押して、電源のオン／オフ、画面の色調整、輝度調整等の機能を制御する。しかし、ディスプレイが、使用者の手に届かない場所にある場合、ディスプレイ上のボタンを押すことができないので、機能の操作ができない。例えば、使用者が、ＰＰＴファイルを使用しながらスピーチなどを行う際、ディスプレイから離れているため、ディスプレイの操作に不便である。
【発明の概要】
【発明が解決しようとする課題】
【０００３】
以上の問題点に鑑みて、本発明は、操作が便利な制御回路及びそれを用いたパソコン部材を提供することを目的とする。
【課題を解決するための手段】
【０００４】
上記の課題を解決するために、本発明の制御回路は、ボタンセットを備え、前記制御回路は、メイン制御回路と、ＶＧＡコネクタと、を備え、前記ＶＧＡコネクタは、パソコン本体に設置され、且つパソコン本体のＩ２Ｃバスによって、メイン制御回路と電気的に接続され、ボタンセットが押された際、ディスプレイを制御するデータ信号を出力し、該データ信号は、Ｉ２Ｃバスによって、前記ＶＧＡコネクタに伝送され、前記ＶＧＡコネクタは、ディスプレイと接続して、データ信号をディスプレイに伝送する。
【０００５】
上記の課題を解決するために、本発明のパソコン部材は、パソコン本体と、ディスプレイと、制御回路と、を備え、前記制御回路は、ボタンセットを備え、前記制御回路は、メイン制御回路と、ＶＧＡコネクタと、を備え、前記ＶＧＡコネクタは、パソコン本体に設置され、且つパソコン本体のＩ２Ｃバスによって、メイン制御回路と電気的に接続され、ボタンセットが押された際、ディスプレイを制御するデータ信号を出力し、該データ信号は、Ｉ２Ｃバスによって、前記ＶＧＡコネクタに伝送され、前記ＶＧＡコネクタは、ディスプレイと接続して、データ信号をディスプレイに伝送する。
【発明の効果】
【０００６】
本発明の制御回路は、使用者の近くに位置する操作部材、例えば、パソコン本体或いはキーボードを介して、これらに設置されたメイン制御回路をボタンセットによって作動させて、クロック信号とデータ信号を出力する。該クロック信号とデータ信号は、パソコン本体のＩ２ＣバスとＶＧＡコネクタによって、ディスプレイに伝送され、且つディスプレイを制御する。これにより、制御回路によって、ディスプレイを遠距離から制御することができるので、操作に便利である。
【図面の簡単な説明】
【０００７】
【図１】本発明に係る制御回路の回路図である。
【図２】本発明に係る制御回路が設置されたキーボードの斜視図である。
【図３】本発明に係るパソコン部材のパソコン本体の斜視図である。
【発明を実施するための形態】
【０００８】
以下、図面に基づいて、本発明に係る制御回路及びそれを用いたパソコン部材について詳細に説明する。
【０００９】
図１に示したように、本発明に係る制御回路１００は、遠距離からディスプレイ２００を制御することに用いられ、コントロールパネル２２０を備える。
【００１０】
図２と図３に示したように、制御回路１００は、ボタンセット１０と、メイン制御回路３０と、ＶＧＡコネクタ５０と、を備える。制御回路１００全体は、パソコン本体３００に設置される。また、ボタンセット１０及びメイン制御回路３０は、パソコン本体３００の外部（例えばキーボード３２０）に設置することができる。本実施形態において、ボタンセット１０及びメイン制御回路３０は、キーボード３２０に設置され、ＶＧＡコネクタ５０は、パソコン本体３００に設置される。パソコン本体３００と、キーボード３２０と、ディスプレイ２００と、制御回路１００と、でパソコン部材を形成する。
【００１１】
本実施形態において、ボタンセット１０の数は五つであり、該五つのボタン上には、ボタンＳ１、Ｓ２、Ｓ３、Ｓ４、Ｓ５がそれぞれ表記されている。ボタンＳ１、Ｓ２、Ｓ３、Ｓ４、Ｓ５の機能は、従来のディスプレイに設けられたボタンの機能と同じであり、電源、メニュー選択、右移動、左移動、自動調整の機能をそれぞれ持つ。ボタンセット１０は、メイン制御回路３０と電気的に接続され、このボタンセット１０を操作することを介して、メイン制御回路３０を制御する。
【００１２】
メイン制御回路３０は、制御器Ｕ１と、キャパシタＣと、抵抗Ｒ１〜Ｒ７と、を備える。制御器Ｕ１は、電源ピンＶＤＤと、信号入力ピンＩ０〜Ｉ４と、アドレスピンＡ０〜Ａ２、クロックピンＳＣＬと、データピンＳＤＡと、リセットピンＲＥＳＥＴと、アースピンＧＮＤと、を備える。電源ピンＶＤＤは、電源Ｖと電気的に接続し、同時に、コンデンサＣによってアースする。信号入力ピンＩ０〜Ｉ４は、ボタンＳ１〜Ｓ５とそれぞれ電気的に接続し、ボタンＳ１〜Ｓ５は、抵抗Ｒ１〜Ｒ５によって、電源Ｖとそれぞれ電気的に接続する。
【００１３】
ボタンＳ１〜Ｓ５を押した際、信号入力ピンＩ０〜Ｉ４は電源Ｖと導通して、制御信号（例えば、低レベル信号或いは高レベル信号）を送信する。アドレスピンＡ０〜Ａ２は、ディスプレイ２００のコントロールパネル２２０に、ハードウェアアドレスを予備設定し、制御器Ｕ１は、このハードウェアアドレスによって、コントロールパネル２２０に入ることができる。アドレスピンＡ０とＡ２は、抵抗Ｒ６によって、電源Ｖと電気的に接続し、アドレスピンＡ１は、抵抗Ｒ７によってアースする。クロックピンＳＣＬとデータピンＳＤＡは、キーボード配線３３０とパソコン本体３００内のＩ２Ｃバス（図示せず）によって、ＶＧＡコネクタ５０と電気的に接続する。クロックピンＳＣＬは、クロック信号を送信し、データピンＳＤＡは、データ信号を送信する。信号入力ピンＩ０〜Ｉ４が制御信号を送信する際、データピンＳＤＡは、一連の文字をそれぞれ出力し、該一連の文字は、信号入力ピンＩ０〜Ｉ４に対応して接続されたボタンＳ１〜Ｓ５が押されたことを表す。例えば、ボタンＳ１が押された際、データピンＳＤＡは、文字１０１を出力し、ボタンＳ２が押された際、データピンＳＤＡは、文字１１０を出力する。リセットピンＲＥＳＥＴは、抵抗Ｒ６によって、電源Ｖと電気的に接続する。
【００１４】
ＶＧＡコネクタ５０は、パソコン本体３００上に設けられたＶＧＡポートであり、且つ十五のピンを備える。その中で、ピン１２とピン１５は、データ信号とクロック信号をそれぞれ伝送する。これにより、ＶＧＡコネクタ５０は、制御器Ｕ１からのデータ信号とクロック信号を受信する。同時に、ＶＧＡコネクタ５０は、ＶＧＡ接続線によって、ディスプレイ２００のコントロールパネル２２０と電気的に接続して、データ信号とクロック信号とをコントロールパネル２２０に送信し、このコントロールパネル２２０によって、ディスプレイ２００を制御する。
【００１５】
制御回路１００を使用する際、ディスプレイ２００が使用者の手に届かない位置にある場合、使用者は、キーボード３２０に予備設置されたボタンセット１０によって、ディスプレイ２００を調整する。例えば、ディスプレイ２００の輝度を上げる場合、先ず、ボタンＳ２を押す。次に、信号入力ピンＩ１は制御信号を送信し、データピンＳＤＡは、対応するデータ信号を出力し、このデータ信号は、キーボード配線３３０と、パソコン本体３００のＩ２Ｃバスと、ＶＧＡコネクタ５０によって、コントロールパネル２２０に伝送される。コントロールパネル２２０は、受信したデータ信号によって、ディスプレイ２００を制御して、機能を選択する画面を出現させる。次に、使用者が再度ボタンＳ２を押すと、ディスプレイ２００に輝度を調整する画面が出現する。また、使用者がボタンＳ３を押すと、信号入力ピンＩ２は制御信号を送信し、データピンＳＤＡは、対応するデータ信号を出力し、コントロールパネル２２０は、このデータ信号によって、ディスプレイ２００の輝度を調整する。以上により、使用者は、近くに位置するキーボード３２０のボタンセット１０を使用することで、遠距離からディスプレイ２００を制御することができる。
【００１６】
ボタンセット１０とメイン制御回路３０とが、パソコン本体３００に設置されている場合、データピンＳＤＡが出力したデータ信号は、パソコン本体３００のＩ２Ｃバスに沿って、ＶＧＡコネクタ５０に伝送されるので、キーボード配線３３０は使用しなくても良い。
【００１７】
本発明の制御回路１００は、使用者の近くに位置する操作部材、例えば、パソコン本体３００或いはキーボード３２０を介して、これらに設置されたメイン制御回路３０をボタンセット１０によって作動させて、クロック信号とデータ信号を出力する。該クロック信号とデータ信号は、パソコン本体３００のＩ２ＣバスとＶＧＡコネクタ５０によって、ディスプレイ２００に伝送され、且つディスプレイ２００を制御する。これにより、制御回路１００によって、ディスプレイ２００を遠距離から制御することができるので、操作に便利である。
【符号の説明】
【００１８】
１００  制御回路
１０  ボタンセット
１２、１５  ピン
Ｓ１−Ｓ５  ボタン
３０  メイン制御回路
ＶＤＤ  電源ピン
ＧＮＤ  アースピン
Ｉ０−Ｉ４  信号入力ピン
Ａ０−Ａ２  アドレスピン
ＳＣＬ  クロックピン
ＳＤＡ  データピン
ＲＥＳＥＴ  リセットピン
Ｕ１  制御器
Ｃ  キャパシタ
Ｒ１−Ｒ７  抵抗
５０  ＶＧＡコネクタ
２００  ディスプレイ
２２０  コントロールパネル
３００  パソコン本体
３２０  キーボード
３３０  キーボード配線
【図１】
2013218683.tif 000003
【図２】
2013218683.tif 000004
【図３】
2013218683.tif 000005